(57)【要約】【課題】複数台のエレベータの乗場において、待ち利用者のいる乗場に芳香又はマイナスイオン等の癒し効果のあるものを適正に供給することができるエレベータの乗場装置を得る。【解決手段】複数台のエレベータが運転され各エレベータの出入口が同一の乗場に設けられたエレベータの乗場装置において、乗場の各出入口付近に設けられ、芳香、マイナスイオン等の癒し効果のあるものを供給する癒し効果供給装置を備え、癒し効果供給装置は、利用者がいるエレベータ乗場を検出して動作し癒し効果のあるものを乗場に供給するとともに、エレベータのかごが到着しドア開放を検出したら供給を停止する。更に、各エレベータの乗場付近に設けられ、乗場毎の待ち利用者の人数を検出する待客センサを備え、待客センサにより乗場毎の待ち利用者の人数を検出して動作し待ち人数に応じて癒し効果のあるものの発生量を調整して各乗場に供給する。【選択図】      図１
2005008377.tif 000002
【特許請求の範囲】
【請求項１】
複数台のエレベータが運転され各エレベータの出入口が同一の乗場に設けられたエレベータの乗場装置において、上記乗場の各出入口付近に設けられ、芳香、マイナスイオン等の癒し効果のあるものを供給する癒し効果供給装置を備え、上記癒し効果供給装置は、利用者がいるエレベータ乗場を検出して動作し癒し効果のあるものを乗場に供給するとともに、エレベータのかごが到着しドア開放を検出したら供給を停止することを特徴とするエレベータの乗場装置。
【請求項２】
複数台のエレベータが運転され各エレベータの出入口が同一の乗場に設けられたエレベータの乗場装置において、上記乗場の各出入口付近に設けられ、芳香、マイナスイオン等の癒し効果のあるものを供給する癒し効果供給装置と、上記各エレベータの乗場付近に設けられ、乗場毎の待ち利用者の人数を検出する待客センサとを備え、上記癒し効果供給装置は、上記待客センサにより乗場毎の待ち利用者の人数を検出して動作し待ち人数に応じて癒し効果のあるものの発生量を調整して各乗場に供給するとともに、エレベータのかごが到着しドア開放を検出したら供給を停止することを特徴とするエレベータの乗場装置。
【請求項３】
癒し効果供給装置は乗場上枠に内蔵され、この乗上枠下面には癒し効果のあるものを吹出す吹出口を設けたことを特徴とする請求項１又は請求項２記載のエレベータの乗場装置。
【請求項４】
待客センサは各エレベータの乗場天井に設けたことを特徴とする請求項２記載のエレベータの乗場装置。
【発明の詳細な説明】
【０００１】
【発明の属する技術分野】
この発明はエレベータの乗場に芳香又はマイナスイオン等の癒し効果のあるものを供給するエレベータの乗場装置に関するものである。
【０００２】
【従来の技術】
従来のエレベータの乗場芳香装置は、乗場ボタンに備えられ、呼びを登録するボタンの操作に応じて、乗場に芳香剤を放出するものであった。（例えば、特許文献１参照）。
【０００３】
【特許文献１】
特開平７−１９６２７６号公報
【０００４】
【発明が解決しようとする課題】
上記従来のエレベータの乗場芳香装置にあっては、エレベータ１台についてその乗場に芳香剤が供給されるものであるため、エレベータの台数が増えた時や、利用者の人数が増えた時については配慮を払うものではなかった。
【０００５】
この発明は、上述のような課題を解決するためになされたもので、その目的は、複数台のエレベータの乗場において、待ち利用者のいる乗場に芳香又はマイナスイオン等の癒し効果のあるものを適正に供給することができるエレベータの乗場装置を提供するものである。
【０００６】
【課題を解決するための手段】
この発明に係るエレベータの乗場装置は、複数台のエレベータが運転され各エレベータの出入口が同一の乗場に設けられたものにおいて、乗場の各出入口付近に設けられ、芳香、マイナスイオン等の癒し効果のあるものを供給する癒し効果供給装置を備え、この癒し効果供給装置は、利用者がいるエレベータ乗場を検出して動作し癒し効果のあるものを乗場に供給するとともに、エレベータのかごが到着しドア開放を検出したら供給を停止するものである。
【０００７】
また、各エレベータの乗場付近に設けられ、乗場毎の待ち利用者の人数を検出する待客センサを備え、癒し効果供給装置は、待客センサにより乗場毎の待ち利用者の人数を検出して動作し待ち人数に応じて癒し効果のあるものの発生量を調整して各乗場に供給するとともに、エレベータのかごが到着しドア開放を検出したら供給を停止するものである。
【０００８】
【発明の実施の形態】
実施の形態１．
図１はこの発明の実施の形態１におけるエレベータの乗場装置を示す斜視図、図２は癒し効果供給装置を示す概略正面図、図３は癒し効果のあるものの供給から停止までの処理手順を示すフローチャート、図４は癒し効果があるものを吹出す号機をチェックする処理手順を示すサブルーチン、図５はエレベータのドアの開放をチェックし癒し効果のあるものの供給を停止するための処理手順を示すサブルーチンである。
図において、エレベータの乗場装置は、複数台のエレベータが運転され、エレベータＡ号機１ａの出入口と、エレベータＢ号機１ｂの出入口と、エレベータＣ号機１ｃの出入口が同一の乗場に設けられている。更に乗場装置は、利用者の有無や人数を検出するためにエレベータ各号機の出入口上部の乗場天井にそれぞれ設けた待客センサ２と、癒し効果があるものを供給する癒し効果供給装置３を内蔵した乗場上枠４ａと、この乗場上枠の下面４ｂに形成され、癒し効果のあるものを吹出す吹出口４ｃとを備えている。癒し効果供給装置３は、図２に示すように、送風機５と、芳香又はマイナスイオン等の癒し効果のあるものを発生する癒し効果発生装置６と、癒し効果のあるものを上記乗場上枠４ａの吹出口４ｃに供給するための供給口７とを備えている。
【０００９】
癒し効果のあるものの供給から停止までの処理手順を図３に示すフローチャートにより説明する。乗場において複数台のエレベータＡ号機１ａ、Ｂ号機１ｂ、Ｃ号機１ｃがある時、まず、ステップＳ１で利用者により乗場呼び登録ボタンの押下げにより天井に設けた待客センサ２が作動して利用者の有無を検出・チェックし、ステップＳ２で癒し効果のあるものの吹出しを必要とする号機をチェックし、ステップＳ３では乗場上枠４ａ内の癒し効果供給装置３が起動し、発生装置６により生成された癒し効果のあるものを供給口７、吹出口４ｃより該当する号機の乗場付近に供給される。次にステップＳ４ではエレベータのドアの開放をチェックする。かごが到着してドアが開放すると、利用客が乗場からいなくなると判断して癒し効果のあるものの供給を停止し、終了する。
図４は癒し効果があるものを吹出す号機をチェックする処理手順を示すサブルーチンである。このサブルーチンはエレベータＡ号機１ａと、エレベータＢ号機１ｂと、エレベータＣ号機１ｃの利用者の有無をチェックするものであり、エレベータ各号機の出入口上部の乗場天井にそれぞれ設けた待客センサ２により利用者の有無を検出することにより行われる。ステップＳ１１でエレベータＡ号機の利用者を確認し、有りの場合はステップＳ１２でエレベータＢ号機の利用者を確認し、有りの場合はステップＳ１３でエレベータＣ号機の利用者を確認し、有りの場合は、ステップＳ１４の吹出し号機Ａ・Ｂ・Ｃとなる。ステップＳ１３でエレベータＣ号機の利用者無しの場合は、ステップＳ１５の吹出し号機Ａ・Ｂとなる。ステップＳ１２でエレベータＢ号機の利用者無しの場合は、ステップＳ１６でエレベータＣ号機の利用者を確認し、有りの場合は、ステップＳ１７の吹出し号機Ａ・Ｃとなる。ステップＳ１６でエレベータＣ号機の利用者無しの場合は、ステップＳ１８の吹出し号機Ａとなる。ステップＳ１１でエレベータＡ号機の利用者無しの場合は、ステップＳ１９でエレベータＢ号機の利用者を確認し、有りの場合は、ステップＳ２０でＣ号機利用者を確認し、有りの場合は、ステップＳ２１の吹出し号機Ｂ・Ｃとなる。ステップＳ２０でエレベータＣ号機の利用者無しの場合は、ステップＳ２２の吹出し号機Ｂとなる。ステップＳ１９でエレベータＢ号機の利用者無しの場合は、ステップＳ２３でエレベータＣ号機の利用者を確認し、有りの場合は、ステップＳ２４の吹出し号機Ｃとなる。ステップＳ２３で無しの場合は、ステップＳ１１に戻る。
また、図５はエレベータのドアの開放をチェックし癒し効果のあるものの供給を停止するための処理手順を示すサブルーチンである。このサブルーチンは上記各号機１ａ〜１ｃのドアの開放をチェックして癒し効果のあるものの供給を停止させるものである。ステップＳ３１でエレベータＡ号機のドア開放をチェックし、ステップＳ３２でエレベータＢ号機のドア開放をチェックし、ステップＳ３３でエレベータＣ号機のドア開放をチェックし、全てのエレベータＡ〜Ｃ号機のドア開放を確認したら、ステップＳ３４で癒し効果のあるものの供給を停止する。
【００１０】
実施の形態２．
図６はこの発明の実施の形態２におけるエレベータの乗場装置の癒し効果のあるものの供給から停止までの処理手順を示すフローチャート、図７は乗場の待ち利用者の人数をチェックし癒し効果のあるものの発生量を調整する処理手順を示すサブルーチンである。この実施の形態２の癒し効果供給装置３は、上記実施の形態１と同じ構成である。また、図６のフローチャートにおいて、ステップＳ１〜Ｓ４は図３のフローチャートと同一である。図６のフローチャートにおいて、ステップＳ２で癒し効果のあるものの吹出しを必要とする号機をチェックした後、ステップＳ５で待ち利用客の人数を待客センサ２によってチェックし、その人数に応じて癒し効果のあるものの発生量を調整する処理手順を図７のサブルーチンに示す。一例として、図１に示すように、エレベータＡ号機１ａの待ち利用者が１人、エレベータＢ号機１ｂの待ち利用者は無し、エレベータＣ号機１ｃの待ち利用者が３人いるとする。待客センサ２によって検出された信号は、図２の癒し効果発生装置６に出力され、利用者の人数に応じて癒し効果のあるものの発生量を変化させる。例えば、ステップＳ４１で人数が１人の時はステップＳ４２の発生量少ない、ステップＳ４３で２〜５人の時はステップＳ４４の発生量中、ステップＳ４５で６人以上の時はステップＳ４６の発生量多いというように分けられる。従って、エレベータＡ号機１ａには１人いるため、発生量は少なく抑えられ、これに伴ないエレベータＡ号機１ａの吹出口４ｃより供給される量は少なくなる。エレベータＢ号機１ｂには利用客がいないため、送風機５及び癒し効果発生装置６は停止している。エレベータＣ号機１ｃには待ち利用客が３人いるため、発生量は中になり、エレベータＣ号機１ｃの吹出口４ｃからは利用者１人の時に比べて多い量を供給することができる。
【００１１】
【発明の効果】
この発明は以上説明したように、複数台のエレベータが運転され各エレベータの出入口が同一の乗場に設けられたものにおいて、乗場の各出入口付近に設けられ、芳香、マイナスイオン等の癒し効果のあるものを供給する癒し効果供給装置を備え、この癒し効果供給装置は、利用者がいるエレベータ乗場を検出して動作し癒し効果のあるものを乗場に供給するとともに、エレベータのかごが到着しドア開放を検出したら供給を停止することにより、待ち利用者のいる乗場だけに芳香又はマイナスイオン等の癒し効果のあるものを適正に供給することができるので、エレベータ到着までの待ち時間のイライラを緩和することができる。
【００１２】
また、利用者の人数に応じて癒し効果のあるものの発生量を調整することにより、適正な量の供給ができ、より一層快適な乗場空間を形成できるという効果がある。
【図面の簡単な説明】
【図１】この発明の実施の形態１におけるエレベータの乗場装置を示す斜視図である。
【図２】この発明の実施の形態１におけるエレベータの乗場装置の癒し効果供給装置を示す概略正面図である。
【図３】この発明の実施の形態１におけるエレベータの乗場装置の癒し効果のあるものの供給から停止までの処理手順を示すフローチャートである。
【図４】この発明の実施の形態１におけるエレベータの乗場装置の癒し効果があるものを吹出す号機をチェックする処理手順を示すサブルーチンである。
【図５】この発明の実施の形態１におけるエレベータの乗場装置のドアの開放をチェックし癒し効果のあるものの供給を停止するための処理手順を示すサブルーチンである。
【図６】この発明の実施の形態２におけるエレベータの乗場装置の癒し効果のあるものの供給から停止までの処理手順を示すフローチャートである。
【図７】この発明の実施の形態２におけるエレベータの乗場装置の待ち利用者の人数をチェックし癒し効果のあるものの発生量を調整する処理手順を示すサブルーチンである。
【符号の説明】
１ａ〜１ｃ  エレベータＡ号機〜Ｃ号機
２  待客センサ
３  癒し効果供給装置
４ａ  乗場上枠
４ｂ  乗場上枠下面
４ｃ  吹出口
５  送風機
６  癒し効果発生装置
７  供給口
【図１】
2005008377.tif 000003
【図２】
2005008377.tif 000004
【図３】
2005008377.tif 000005
【図４】
2005008377.tif 000006
【図５】
2005008377.tif 000007
【図６】
2005008377.tif 000008
【図７】
2005008377.tif 000009